(57)【要約】【課題】勾配角度を計測しなくとも、配管を所定の勾配角度で容易に設置できる配管支持具を提供すること。【解決手段】配管１０を支持する配管支持部２を複数備えた配管支持具１であって、複数の配管支持部２は、それぞれ高さ位置が異なる配管支持具１である。複数の配管支持部２は、第１配管支持部２１と、第１配管支持部２１より上方に位置する第２配管支持部２２と、を備え、第２配管支持部２２には、配管１０を第１配管支持部２１に押し込み可能な隙間４が形成される。【選択図】図１
2015183811.tif 000002
【特許請求の範囲】
【請求項１】
配管を支持する配管支持部を複数備えた配管支持具であって、
前記複数の配管支持部は、それぞれ高さ位置が異なる配管支持具。
【請求項２】
前記複数の配管支持部は、第１配管支持部と、
前記第１配管支持部より上方に位置する第２配管支持部と、を備え、
前記第２配管支持部には、前記配管を前記第１配管支持部に押し込み可能な隙間が形成される請求項１に記載の配管支持具。
【請求項３】
前記配管支持具は壁面に取り付けられる取り付け部をさらに備え、
前記配管支持部は、前記取り付け部側に向かうに従い下方に傾斜する傾斜部を有するか又は前記取り付け部側とは反対側に立ち上がり部を有する請求項２に記載の配管支持具。
【請求項４】
前記取り付け部から前記第１配管支持部が延出され、
前記第１配管支持部の先端側から前記立ち上がり部が立ち上げられ、
前記立ち上がり部から前記取り付け部側に向かって前記第２配管支持部が延出される請求項３に記載の配管支持具。
【請求項５】
前記第２配管支持部は、前記第１配管支持部側に弾性変形可能である請求項２〜４のいずれか１項に記載の配管支持具。
【請求項６】
請求項２から５のいずれか１項に記載の配管支持具が用いられた配管支持構造であって、
前記配管支持具が水平方向に離間して２つ取り付けられ、
一方の配管支持具の第１配管支持部で前記配管が支持されるとともに、他方の配管支持具の第２配管支持部で前記配管が支持される配管支持構造。
【請求項７】
便器と、該便器と離隔した位置に配置される手洗い器と、を有する手洗い器付き便器であって、
前記便器と前記手洗い器との間に配置される前記配管に設けられる請求項６に記載の配管支持構造を備える手洗い器付き便器。
【請求項８】
請求項２から５のいずれか１項に記載の配管支持具を用いた配管支持方法であって、
前記配管支持具を水平方向に離間して２つ取り付ける工程と、
一方の配管支持具の第２配管支持部上に前記配管を載置する工程と、
他方の配管支持具の前記第２配管支持部上に載置された前記配管を、前記隙間を介して第１配管支持部に押し込む工程と、を有する配管支持方法。
【発明の詳細な説明】
【技術分野】
【０００１】
本発明は、配管支持具に関する。具体的には、配管に勾配を形成する際に使用する配管支持具に関する。
【背景技術】
【０００２】
従来、排水用の配管を壁面等に設置する際には、排水先へ向けて水を流すため、配管を傾斜させて所定の勾配角度を形成するように設置する必要がある。このため、配管の設置の際には、高さの異なる２点で配管を支持する配管支持具が用いられる。
【０００３】
配管の設置を容易にするため、配管支持具における配管の支持部を上下に移動可能に形成した配管支持具が提案されている（例えば、特許文献１参照）。この配管支持具は、互いに離間するように２箇所に配置される。支持部の高さは、離間した２箇所を結ぶ線が水平面に対して所定の勾配角度を形成するように、水準器等を用いて計測され、調節される。そして、調節された支持部の上に、配管が配置され、固定具で固定される。
【先行技術文献】
【特許文献】
【０００４】
【特許文献１】特開２０００−３１０３５７号公報
【発明の概要】
【発明が解決しようとする課題】
【０００５】
特許文献1に記載の配管支持具では、勾配角度を計測して支持部の高さを調節したり、配管を固定する必要があり、施行に多くの手順を要していた。
【０００６】
本発明は、勾配角度を計測しなくとも、配管を所定の勾配角度で容易に設置できる配管支持具を提供することを目的とする。
【課題を解決するための手段】
【０００７】
上記目的を達成するため本発明は、配管（例えば、後述の配管１０）を支持する配管支持部（例えば、後述の配管支持部２）を複数備えた配管支持具（例えば、後述の配管支持具１）であって、前記複数の配管支持部は、それぞれ高さ位置が異なる配管支持具を提供する。
【０００８】
前記複数の配管支持部は、第１配管支持部（例えば、後述の第１配管支持部２１）と、前記第１配管支持部より上方に位置する第２配管支持部（例えば、後述の第２配管支持部２２）と、を備え、前記第２配管支持部には、前記配管を前記第１配管支持部に押し込み可能な隙間（例えば、後述の隙間４）が形成されることが好ましい。
【０００９】
前記配管支持具は壁面（例えば、後述の壁面１１）に取り付けられる取り付け部（例えば、後述の取り付け部３）をさらに備え、前記配管支持部は、前記取り付け部側に向かうに従い下方に傾斜する傾斜部（例えば、後述の傾斜部２２１）を有するか又は前記取り付け部側とは反対側に立ち上がり部（例えば、後述の立ち上がり部２３）を有することが好ましい。
【００１０】
前記取り付け部から前記第１配管支持部が延出され、前記第１配管支持部の先端側から前記立ち上がり部が立ち上げられ、前記立ち上がり部から前記取り付け部側に向かって前記第２配管支持部が延出されることが好ましい。
【００１１】
前記第２配管支持部は、前記第１配管支持部側に弾性変形可能であることが好ましい。
【００１２】
本発明の一側面における配管支持具が用いられた配管支持構造であって、前記配管支持具が水平方向に離間して２つ取り付けられ、一方の配管支持具の第１配管支持部で前記配管が支持されるとともに、他方の配管支持具の第２配管支持部で前記配管が支持される配管支持構造であることが好ましい。
【００１３】
便器と、該便器と離隔した位置に配置される手洗い器と、を有する手洗い器付き便器であって、前記便器と前記手洗い器との間に配置される前記配管に設けられる本発明の一側面における配管支持構造備える手洗い器付き便器であることが好ましい。
【００１４】
本発明の一側面における配管支持具を用いた配管支持方法であって、前記配管支持具を水平方向に離間して２つ取り付ける工程と、一方の配管支持具の第２配管支持部上に前記配管を載置する工程と、他方の配管支持具の前記第２配管支持部上に載置された前記配管を、前記隙間を介して第１配管支持部に押し込む工程と、を有する配管支持方法であることが好ましい。
【発明の効果】
【００１５】
本発明によれば、勾配角度を計測しなくとも、配管を所定の勾配角度で容易に設置できる配管支持具を提供することができる。
【図面の簡単な説明】
【００１６】
【図１】本実施形態の配管支持具を示す斜視図である。
【図２】本実施形態の配管支持具を示す断面図である。
【図３】本実施形態における配管支持具が用いられた配管支持構造において、（ａ）図は、配管を傾斜させる前の状態を示す図であり、（ｂ）図は、配管を傾斜させて取り付けた後の状態を示す図である。
【図４】本実施形態の配管支持構造を備える手洗い器付き便器を示す概略図である。
【図５】本実施形態の変形例に係る配管支持具を示す断面図である。
【発明を実施するための形態】
【００１７】
以下、本発明の一実施形態について、図面を参照しながら詳しく説明する。
図１は、本実施形態に係る配管支持具１を示す斜視図である。図２は、本実施形態に係る配管支持具１を示す断面図である。
図１に示すように、配管支持具１は、取り付け部３と、複数の配管支持部２と、を有する。配管支持具１は、例えばトイレ等の壁面１１に取り付けられて配管１０を支持する金属製の金具である。
なお、本明細書において、上方又は下方とは、配管支持具１を壁面１１に取り付けた状態における方向を意味する。
【００１８】
取り付け部３は、長方形の平坦な板状の部材により構成され、板状の部材の平坦な面を壁面１１に当接させて取り付けられる。取り付け部３は、長手方向の一方と他方に形成される長穴３１を有し、長穴３１を介してねじ１２により壁面１１に固定される。長穴３１は、その長手方向が、取り付け部３の長手方向に沿うように配置されている。
【００１９】
配管支持部２は、第１配管支持部２１と、第２配管支持部２２と、立ち上がり部２３と、を有する。配管支持部２は、取り付け部３の板面が延びる方向に交差する方向へ延びて配管１０を支持する。
【００２０】
第１配管支持部２１は、取り付け部３の板面が延びる方向に直交する方向に延出する板状の部分であり、配管１０を支持可能な面積を有する。第１配管支持部２１は、取り付け部３と同じ幅を有するとともに、取り付け部３の板面が延びる方向に直交する方向に延出する辺が長手方向となる長方形に形成されている。第１配管支持部２１は、取り付け部３よりも、長手方向の長さが短い。第１配管支持部２１は、基端側が取り付け部３に連続し、先端側が取り付け部３から遠ざかる方に位置している。
【００２１】
立ち上がり部２３は、取り付け部３に対向する反対側に位置し、第１配管支持部２１の先端から上方へ立ち上がるように形成される。立ち上がり部２３は、取り付け部３よりも低い高さの平坦な面を有する。立ち上がり部２３は、取り付け時にねじ１２が挿通する貫通穴２３１を有する。
【００２２】
第２配管支持部２２は、傾斜部２２１と、隙間４と、により構成されている。
傾斜部２２１は、第１配管支持部２１と異なる高さ位置に配置される板状の部分である。具体的には、傾斜部２２１は、第１配管支持部２１よりも上方に配置される。傾斜部２２１は、立ち上がり部２３の上端から取り付け部３側に向かって延出し、取り付け部３側へ向かうに従って下方に傾斜している。
【００２３】
傾斜部２２１は、取り付け部３の板面が延びる方向に交差する方向に延びる辺が第１配管支持部２１の長手方向の辺よりも短く形成される。すなわち、傾斜部２２１は、立ち上がり部２３の上端から取り付け部３側へ延出しているが、取り付け部３へは届かない長さの辺を有する。具体的には、傾斜部２２１の取り付け部３に交差する方向に延びる辺の長さは、第１配管支持部２１の長手方向に延びる辺の半分程度である。
【００２４】
傾斜部２２１は、ばね鋼で形成されており、立ち上がり部２３の上端から第１配管支持部２１側へ撓んで弾性変形可能である。
【００２５】
隙間４は、第２配管支持部２２における傾斜部２２１の取り付け部３側の端部と、取り付け部３との間に形成されている。隙間４すなわち傾斜部２２１の取り付け部３側の端部と取り付け部３との間の間隔は、設置する配管１０の径に応じて形成される。隙間４が配管１０の径より大きいと、配管１０が傾斜部２２１上に安定して載置されず、第１配管支持部２１へ落下する。隙間４が配管１０の径よりも小さすぎると、配管１０を隙間４に押し込んでも第１配管支持部２１へ移動させることが困難になる。したがって、隙間４は、傾斜部２２１が弾性変形することで、配管１０を傾斜部２２１から第１配管支持部２１へ移動させることが可能な寸法を有するように調整される。
【００２６】
図３（ａ）及び図３（ｂ）は、本実施形態における配管支持具１が用いられた配管支持構造を示す図である。図３（ａ）は、配管１０を傾斜させる前の状態を示す図であり、図３（ｂ）は、配管１０を傾斜させて取り付けた後の状態を示す図である。
以下、図３（ａ）及び図３（ｂ）を参照して、本実施形態の配管支持具１を用いた配管支持構造及び配管支持方法について説明する。
【００２７】
図３（ａ）に示すように、本実施形態の配管支持構造では、２つの配管支持具１を、水平方向に互いに離間させて配置する。離間させる距離は、配管支持具１の第１配管支持部２１及び第２配管支持部２２の高さの差及び排水量等に応じて、予め計算され、決定されている。そして、それぞれの配管支持具１を、取り付け部３の長穴３１を介してねじ１２により壁面１１に固定する。２つの配管支持具１を取り付けた後、第２配管支持部２２の上に、配管１０を載置する。
【００２８】
図３（ａ）の白太矢印に示すように、排水方向の下流側に位置する配管支持具１において、配管１０を第２配管支持部２２と取り付け部３との隙間４に寄せ、配管１０を上方から第１配管支持部２１側へ押し込む。傾斜部２２１は、ばね鋼で形成されているので、押し込むことにより傾斜部２２１が弾性変形して下方へ撓む。すると、傾斜部２２１における取り付け側の端部の上に一部が載った状態で隙間４内に位置していた配管１０は、傾斜部２２１が下方へ撓むことで下方へ落ち、第２配管支持部２２と第１配管支持部２１との間を経由して、第１配管支持部２１の上面に支持される。配管１０を第１配管支持部２１側へ移動させることができる。
【００２９】
図３（ｂ）に示すように、配管１０は、上流側では上方に位置する第２配管支持部２２に載置され、下流側では下方に位置する第１配管支持部２１の上に載置される。図２に示すように、第２配管支持部２２は、第１配管支持部２１側へ向かって下り傾斜しているので、配管１０が第２配管支持部２２から転がり落ちにくくなっている。また、第１配管支持部２１の先端側には、上方へ向かって立ち上がる立ち上がり部２３が形成されているので、配管１０が第１配管支持部２１から転がり落ちることはない。
【００３０】
配管１０は、高さの異なる第１配管支持部２１及び第２配管支持部２２により支持され、上流側から下流側へ傾斜して配置され、配管に勾配が形成される。このため、水は、上流側から下流側へ流れる。
【００３１】
図４は、本実施形態の配管支持構造を備える手洗い器付き便器５の概略図である。手洗い器付き便器５は、便器５２と、タンク５３（図示せず）を収容する収容キャビネット５４と、手洗い器５１と、カウンター５５と、ペーパーホルダー５６と、配管１０と、本実施形態の配管支持構造における複数の配管支持具１と、配管カバー７とを備える。
【００３２】
便器５２は、便器本体５２１及び蓋５２２を有する。便器本体５２１は、人間が腰かける座面部５２３と排泄物を受け止める凹部５２４とにより構成されており、凹部５２４は図示しない排水管へと連続している。蓋５２２は、座面部５２３及び凹部５２４を覆っている。
【００３３】
収容キャビネット５４は、内部にタンク５３を収容して隠ぺいする戸棚である。収容キャビネット５４は、便器５２の背後に配置されている。収容キャビネット５４は、前面における便器５２の右側に開閉可能な扉５４１を有する。タンク５３は、便器５２を洗浄するための水を貯留する容器である。
【００３４】
手洗い器５１は、便器５２と離隔した位置に配置されている。手洗い器５１は、水栓５１１と、手洗い器本体５１２と、手洗い器排水管５１３と、排水トラップ５１４と、を有する。
水栓５１１は、図示しない配管から水の供給を受けて水を吐出する蛇口である。
手洗い器本体５１２は、上部が開口した箱状の形状を有し、水栓５１１から吐出された水で手を洗う容器である。
手洗い器排水管５１３は、手洗い器本体５１２から排出された水を配管１０へ送る管である。
排水トラップ５１４は、手洗い器排水管５１３と配管１０との間に配置されて、ごみや悪臭を放つ成分が配管１０へ流入することを防ぐ封水のための設備である。
【００３５】
カウンター５５は、手洗い器５１と収容キャビネット５４との間に渡されるように配置されている。カウンター５５は、配管１０の上方に配置される。
【００３６】
ペーパーホルダー５６は、カウンター５５と配管１０との間に配置され、カウンター５５の下面に取り付けられている。
【００３７】
配管１０は、カウンター５５及びペーパーホルダー５６の下方に配置される。配管１０は、手洗い器５１から排出された水を、便器５２側へ向かって下り傾斜することにより便器５２が配置されている方向へ流す。配管１０は、収容キャビネット５４の内部を通って
図示しない排水管へ接続されている。
配管カバー７は、傾斜して配置される配管１０の外側を覆っている。
【００３８】
以上の便器５２と手洗い器５１とが離隔して配置される手洗い器付き便器５において、便器５２と手洗い器５１との間の壁面１１に沿って設置される配管１０が、互いに水平方向に離間する２つの配管支持具１により支持されている。配管支持具１には、高さの異なる配管支持部２が複数形成されている。そして、上流側の配管支持具１における上方の第２配管支持部２２に配管１０が載置され、下流側の配管支持具１における下方の第１配管支持部２１に配管１０が載置されるため、上流側から下流側へ配管１０に勾配が形成される。このため、手洗い器５１から吐出される水が下方へ流れ、最終的には排水管へと導かれる。
【００３９】
本実施形態によれば、以下の効果が奏される。
本実施形態では、配管支持具１に、配管１０を支持する配管支持部２を複数含んで構成した。また、複数の配管支持部２それぞれの高さ位置を、異なるように構成した。
【００４０】
本実施形態によれば、高さの異なる複数の配管支持部２を有する配管支持具１を、水平方向に離間して２つ設けることで、水準器等で計測しなくとも、配管１０を所定の勾配角度で容易に設置することができる。
【００４１】
また本実施形態では、配管支持具１に、第１配管支持部２１と、第１配管支持部２１より上方に位置する第２配管支持部２２と、を含んで構成した。また、第２配管支持部２２に、配管１０を第１配管支持部２１に押し込み可能な隙間４を形成した。
これにより、上方の第２配管支持部２２から隙間４へ向かって配管１０を押し込むだけで、第１配管支持部２１の上に配管１０を支持させることができる。よって、配管１０を容易に設置することができる。
【００４２】
また本実施形態では、配管支持具１を、壁面１１に取り付けられる取り付け部３を含んで構成した。また、配管支持部２に、取り付け部３側に向かうに従い下方に傾斜する傾斜部２２１又は取り付け部３側とは反対側に立ち上がり部２３を含んで構成した。
これにより、下方に傾斜する傾斜部２２１に配管１０を載置することで、配管１０が転がり落ちることを防止できる。また、配管支持部２から立ち上がる立ち上がり部２３により配管１０の移動が妨げられるため、配管１０が転がり落ちることを防止できる。したがって、配管１０を別途固定する必要がない。
【００４３】
また本実施形態では、第１配管支持部２１を取り付け部３から延出するように形成し、立ち上がり部２３を第１配管支持部２１の先端側から立ち上げるように形成した。また、第２配管支持部２２を、立ち上がり部２３から取り付け部３側に向かって延出するように形成した。
【００４４】
また本実施形態では、第２配管支持部２２を、第１配管支持部２１側に弾性変形可能に構成した。
これにより、第２配管支持部２２に載置された配管１０を第１配管支持部２１側へ押し込む際に、第２配管支持部２２が撓んで変形するため、容易に押し込むことができる。
【００４５】
また本実施形態では、本実施形態の配管支持具１を用いる配管支持構造において、配管支持具１を水平方向に離間して２つ取り付けた。また、一方の配管支持具１の第１配管支持部２１で配管１０を支持させるとともに、他方の配管支持具１の第２配管支持部２２で配管１０を支持させた。
これにより、互いに水平方向に離間する配管支持具１において、高さの異なる一方の第１配管支持部２１と、他方の第２配管支持部２２とに配管１０を支持させるため、配管１０に勾配が形成される。したがって、水準器等で計測しなくとも、配管１０を所定の勾配角度で容易に設置することができる。
【００４６】
また本実施形態では、便器５２と、便器５２と離隔した位置に配置される手洗い器５１と、を備える手洗い器付き便器５の配管１０に、本実施形態の配管支持構造を含んで構成した。
これにより、手洗い器付き便器５の配管１０の設置を容易にすることができる。
【００４７】
また本実施形態では、本実施形態の配管支持具１を用いた配管支持方法において、配管支持具１を水平方向に離間して２つ取り付ける工程と、一方の配管支持具１の第２配管支持部２２上に配管を載置する工程と、他方の配管支持具１の第２配管支持部２２上に載置された配管１０を、隙間４を介して第１配管支持部２１に押し込む工程と、を含んで構成する。
これにより、上方から隙間４へ向かって配管を押し込むだけで、第１配管支持部２１の上に配管１０を支持させることができる。よって、配管１０を所定の勾配角度で容易に設置することができる。
【００４８】
なお、本発明は上記実施形態に限定されるものではなく、本発明の目的を達成できる範囲での変形、改良等は本発明に含まれる。
図５は、上記実施形態の変形例に係る配管支持具１Ａを示す断面図である。変形例に係る配管支持具１Ａは、第２配管支持部２２Ａが傾斜部２２１により構成されておらず、立ち上がり部２２３を有している点が上記実施形態と異なる。
【００４９】
図５に示すように、変形例に係る配管支持具１Ａの第２配管支持部２２Ａは、取り付け部３に交差する方向に延びる支持面２２２と、この支持面２２２の先端側から上方に立ち上がる立ち上がり部２２３と、を有する。変形例に係る配管支持具１Ａによっても、配管１０が第１配管支持部２１及び第２配管支持部２２Ａの両方から、転がり落ちることを防止でき、配管１０を別途固定する必要がないという効果を奏する。
【００５０】
このように、配管支持具の第１配管支持部及び第２配管支持部は、いずれも傾斜部により構成されるか、いずれも立ち上がり部を含んで構成されるか、傾斜部及び立ち上がり部の両方により構成されるか、いずれであってもよい。
【００５１】
また、上記実施形態では、第２配管支持部２２を弾性変形可能なばね鋼で構成しているが、第２配管支持部とともに、取り付け部及び第１配管支持部をばね鋼で構成してもよい。
【００５２】
また、上記実施形態では、配管支持具は金具であるが、これに限られない。配管支持具は、樹脂等の他の素材で構成されていてもよい。
【００５３】
また、上記実施形態では、第２配管支持部２２は、傾斜部２２１と、傾斜部２２１の取り付け部３側に配置された隙間４と、により構成されているが、これに限られない。
例えば、傾斜部を取り付け部側と立ち上がり部側の両方から下方に傾斜するように形成、隙間を２つの傾斜部の間に配置されるように構成してもよい。
また、隙間を、取り付け部側ではなく、立ち上がり部側に配置されるように構成してもよい。
【符号の説明】
【００５４】
１      配管支持具
２      配管支持部
３      取り付け部
４      隙間
５      手洗い器付き便器
２１    第１配管支持部
２２    第２配管支持部
２３    立ち上がり部
２２１  傾斜部
１１    壁面
【図１】
2015183811.tif 000003
【図２】
2015183811.tif 000004
【図３】
2015183811.tif 000005
【図４】
2015183811.tif 000006
【図５】
2015183811.tif 000007